(57)【要約】【課題】優れた滑止効果を発揮する釣用靴及びこれに使用される靴底材の提供。【解決手段】この釣用靴１０は、靴底材１３を備える。靴底材１３は、フェルト部材３４と、ゴムピン３５と、取付板部３３とを有する。フェルト部材３４は、靴本体の外底部に対応する形状に形成され、当該外底部に着脱自在に取り付けられる。ゴムピン３５の表面３８は、靴底に露出している。ゴムピン３５は、硬度が２０〜４０のブチルゴムからなる。ゴムピン３５は、円柱状に形成されている。ゴムピン３５は、フェルト部材３４に設けられたゴムピン収容室３７に嵌め込まれており、当該ゴムピン収容室３７内で変形可能である。【選択図】図３
2006289063.tif 000002
【特許請求の範囲】
【請求項１】
釣人の足が挿入され得る靴本体と、
靴本体の外底面に設けられた靴底材とを有し、
靴底材は、
上記外底面に取り付けられたフェルトからなる靴底本体と、
表面が靴底に露出するように靴底本体に設けられたゴムピンとを備え、
当該ゴムピンは、硬度２０〜４０のブチルゴムからなる釣用靴。
【請求項２】
上記靴底本体は、上記靴底に開口するゴムピン収容室を有し、
上記ゴムピンは、上記ゴムピン収容室に圧入されている請求項１に記載の釣用靴。
【請求項３】
上記ゴムピンは、外径寸法が直径１０ｍｍ〜２０ｍｍの円柱状に形成されており、靴底本体の踵部分及び土踏まずから爪先に至る部分に均等に並設されている請求項１または２に記載の釣用靴。
【請求項４】
上記ゴムピンの表面及び当該表面に連続する面は、上記靴底本体に対して相対的に変位可能である請求項１から３のいずれかに記載の釣用靴。
【請求項５】
上記靴底材は、上記靴本体の外底面と対向する上記靴底本体の上面を覆う取付部材がさらに備えられており、
当該取付部材は、上記靴本体の外底面に着脱自在に設けられている請求項１から４のいずれかに記載の釣用靴。
【請求項６】
上記ゴムピン収容室は、上記靴底本体に設けられた貫通孔からなり、
上記ゴムピンの上記取付部材と対向する面のみが、当該取付部材に固着されている請求項５に記載の釣用靴。
【請求項７】
上記ゴムピンの上記取付部材と対向する面にフランジが設けられている請求項６に記載の釣用靴。
【請求項８】
上記ゴムピンの表面は、上記靴底から１ｍｍ〜３ｍｍの範囲で突出している請求項１から７のいずれかに記載の釣用靴。
【請求項９】
上記ゴムピンの表面に所定深さの細溝が設けられている請求項１から８のいずれかに記載の釣用靴。
【請求項１０】
上記細溝は、上記ゴムピンの表面に十字形に形成されている請求項９に記載の釣用靴。
【請求項１１】
靴本体の外底面に設けられる靴底材であって、
フェルトからなる靴底本体と、
表面が靴底本体の下面に露出するように当該靴底本体に設けられたゴムピンとを備え、
当該ゴムピンは、硬度２０〜４０のブチルゴムからなる靴底材。
【請求項１２】
上記靴底本体は、当該靴底本体の下面に開口するゴムピン収容室を有し、
上記ゴムピンは、上記ゴムピン収容室に圧入されている請求項１１に記載の靴底材。
【請求項１３】
上記ゴムピンは、外径寸法が直径１０ｍｍ〜２０ｍｍの円柱状に形成されており、上記靴底本体の踵部分及び土踏まずから爪先に至る部分に均等に並設されている請求項１１または１２に記載の靴底材。
【請求項１４】
上記ゴムピンの表面及び当該表面に連続する面は、上記靴底本体に対して相対的に変位可能である請求項１１から１３のいずれかに記載の靴底材。
【請求項１５】
上記靴本体の外底面と対向する上記靴底本体の上面を覆い且つ上記靴本体の外底面に着脱自在に係合する取付部材がさらに備えられている請求項１１から１４のいずれかに記載の靴底材。
【請求項１６】
上記ゴムピン収容室は、上記靴底本体に設けられた貫通孔からなり、
上記ゴムピンの上記取付部材と対向する面のみが、当該取付部材に固着されている請求項１５に記載の靴底材。
【請求項１７】
上記ゴムピンの上記取付部材と対向する面にフランジが設けられている請求項１６に記載の靴底材。
【請求項１８】
上記ゴムピンの表面は、上記靴底本体の下面から１ｍｍ〜３ｍｍの範囲で突出している請求項１１から１７のいずれかに記載の靴底材。
【請求項１９】
上記ゴムピンの表面に所定深さの細溝が設けられている請求項１１から１８のいずれかに記載の靴底材。
【請求項２０】
上記細溝は、上記ゴムピンの表面に十字形に形成されている請求項１９に記載の靴底材。
【請求項２１】
釣人の足が挿入され得る靴本体と、
靴本体の外底面に設けられた靴底材とを有し、
靴底材は、
上記外底面に取り付けられたフェルトからなる靴底本体と、
当該靴底本体に設けられたゴムピンとを備え、
当該ゴムピンは、表面が靴底に露出される底板部と、当該底板部の外周縁部に立設された略筒状の側部とを有し、上記ゴムピンの表面及び当該表面に連続する面が上記靴底本体に対して相対的に変位可能である釣用靴。
【請求項２２】
上記ゴムピンは、硬度２０〜４０のブチルゴムからなる請求項２１に記載の釣用靴。
【請求項２３】
上記側部は、軸方向の弾性変形を許容する蛇腹状に形成されている請求項２１または２２に記載の釣用靴。
【請求項２４】
上記靴底本体は、上記靴底に開口するゴムピン収容室を有し、
上記ゴムピンは、上記ゴムピン収容室に圧入されている請求項２１から２３のいずれかに記載の釣用靴。
【請求項２５】
上記ゴムピンは、外径寸法が直径１０ｍｍ〜２０ｍｍの円柱状に形成されており、靴底本体の踵部分及び土踏まずから爪先に至る部分に均等に並設されている請求項２１から２４のいずれかに記載の釣用靴。
【請求項２６】
上記靴底材は、上記靴本体の外底面と対向する上記靴底本体の上面を覆う取付部材がさらに備えられており、
当該取付部材は、上記靴本体の外底面に着脱自在に設けられている請求項２１から２５のいずれかに記載の釣用靴。
【請求項２７】
上記ゴムピン収容室は、上記靴底本体に設けられた貫通孔からなり、
上記ゴムピンの上記取付部材と対向する面のみが、当該取付部材に固着されている請求項２６に記載の釣用靴。
【請求項２８】
上記ゴムピンの上記取付部材と対向する面にフランジが設けられている請求項２７に記載の釣用靴。
【請求項２９】
上記ゴムピンの表面は、上記靴底から１ｍｍ〜３ｍｍの範囲で突出している請求項２１から２８のいずれかに記載の釣用靴。
【請求項３０】
上記ゴムピンの表面に所定深さの細溝が設けられている請求項２１から２９のいずれかに記載の釣用靴。
【請求項３１】
上記細溝は、上記ゴムピンの表面に十字形に形成されている請求項３０に記載の釣用靴。
【請求項３２】
靴本体の外底面に設けられる靴底材であって、
フェルトからなる靴底本体と、
当該靴底本体に設けられたゴムピンとを備え、
当該ゴムピンは、表面が靴底本体の下面に露出される底板部と、当該底板部の外周縁部に立設された略筒状の側部とを有し、上記ゴムピンの表面及び当該表面に連続する面が上記靴底本体に対して相対的に変位可能である靴底材。
【請求項３３】
上記ゴムピンは、硬度２０〜４０のブチルゴムからなる請求項３２に記載の靴底材。
【請求項３４】
上記側部は、軸方向の弾性変形を許容する蛇腹状に形成されている請求項３２または３３に記載の靴底材。
【請求項３５】
上記靴底本体は、当該靴底本体の下面に開口するゴムピン収容室を有し、
上記ゴムピンは、上記ゴムピン収容室に圧入されている請求項３２から３４のいずれかに記載の靴底材。
【請求項３６】
上記ゴムピンは、外径寸法が直径１０ｍｍ〜２０ｍｍの円柱状に形成されており、上記靴底本体の踵部分及び土踏まずから爪先に至る部分に均等に並設されている請求項３２から３５のいずれかに記載の靴底材。
【請求項３７】
上記靴本体の外底面と対向する上記靴底本体の上面を覆い且つ上記靴本体の外底面に着脱自在に係合する取付部材がさらに備えられている請求項３２から３６のいずれかに記載の靴底材。
【請求項３８】
上記ゴムピン収容室は、上記靴底本体に設けられた貫通孔からなり、
上記ゴムピンの上記取付部材と対向する面のみが、当該取付部材に固着されている請求項３７に記載の靴底材。
【請求項３９】
上記ゴムピンの上記取付部材と対向する面にフランジが設けられている請求項３８に記載の靴底材。
【請求項４０】
上記ゴムピンの表面は、上記靴底本体の下面から１ｍｍ〜３ｍｍの範囲で突出している請求項３２から３９のいずれかに記載の靴底材。
【請求項４１】
上記ゴムピンの表面に所定深さの細溝が設けられている請求項３２から４０のいずれかに記載の靴底材。
【請求項４２】
上記細溝は、上記ゴムピンの表面に十字形に形成されている請求項４１に記載の靴底材。
【発明の詳細な説明】
【技術分野】
【０００１】
本発明は、釣用靴、特に釣用靴の靴底に使用される靴底材の構造に関するものである。
【背景技術】
【０００２】
例えば磯釣りや川釣りにおいては、釣人は石や岩（磯）の上を歩行する。このような釣場の石や岩は、一般に濡れていることが多く、またコケ等が付着していることも多い。そのため、釣人が着用する釣用靴の靴底は、歩行の際に滑らないように従来からさまざまな改良が加えられている（例えば、特許文献１〜特許文献６参照）。
【０００３】
具体的には、従来の釣用靴には、（ア）靴底材がフェルトから構成されているもの、（イ）靴底にスパイクピンが設けられているもの、（ウ）靴底に吸盤が設けられているもの等がある。これらの改良が施された釣用靴は、それぞれ一定の条件下（釣場の環境下）においては一定の滑止効果を発揮する。すなわち、例えば磯が平坦な岩からなり、あまり濡れていない場合には、靴底材がフェルトから構成されているものが好ましいし、磯に柔らかいコケが生え、常時濡れているような場合には、靴底にスパイクピンが設けられているものが好ましい。
【０００４】
【特許文献１】特開２００２−２８２００９公報
【特許文献２】特開２００１−１９７９０３公報
【特許文献３】特開平１０−４２９０５号公報
【特許文献４】特開平４−４８０３号公報
【特許文献５】特開平１−１２６１０１号公報
【特許文献６】特開昭６３−１９１９０５号公報
【発明の開示】
【発明が解決しようとする課題】
【０００５】
しかしながら、釣場の環境はさまざまであり、岩の表面が滑面である場合や、濡れた粗面である場合もある。また、岩の表面に柔らかいコケが生えている場合や、比較的硬い海草が生えている場合もある。従来の釣用靴では、このようなさまざまな環境に対応して優れた滑止効果を発揮することは困難であった。例えば、靴底にスパイクピンが設けられた釣用靴は、粗面の岩場では優れた滑止効果を発揮するが、コケ等が生えている場所では、必ずしも高い滑止効果を発揮することはできなかった。
【０００６】
そこで、本発明の目的は、釣場におけるあらゆる環境下においても優れた滑止効果を発揮する釣用靴及びこれに使用される靴底材を提供することである。
【課題を解決するための手段】
【０００７】
(1) 上記目的が達成されるため、本発明に係る釣用靴は、釣人の足が挿入され得る靴本体と、靴本体の外底面に設けられた靴底材とを有する。この靴底材は、上記外底面に取り付けられたフェルトからなる靴底本体と、表面が靴底に露出するように靴底本体に設けられたゴムピンとを備える。このゴムピンは、硬度２０〜４０のブチルゴムからなる。
【０００８】
この構成によれば、釣人は、足を靴本体に挿入し、釣用靴を着用する。釣人が釣用靴を着用して歩行すると、靴底本体が釣場の石や岩に圧接する。このとき、ゴムピンの表面が靴底に露出しているから、フェルトからなる靴底本体及びゴムピンの表面が石や岩に圧接される。しかも、このゴムピンが上記硬度のブチルゴムからなるので、このゴムピンは容易に変形して釣場の岩等に対して確実にグリップする。なお、本明細書では、上記ゴムピンの硬度は、デュロメータＡ型硬度（ＪＩＳ  Ｋ  ６２６３）を意味する。
【０００９】
上記靴底本体は、上記靴底に開口するゴムピン収容室を有し、上記ゴムピンは、上記ゴムピン収容室に圧入されているのが好ましい。この構成では、ゴムピンのみが別部材として構成され、簡単に靴底本体に組み付けられる。その結果、釣用靴の構造が簡単となり、製造コストの大幅な上昇が回避される。
【００１０】
上記ゴムピンは、外径寸法が直径１０ｍｍ〜２０ｍｍの円柱状に形成されており、靴底本体の踵部分及び土踏まずから爪先に至る部分に均等に並設されているのが好ましい。この構成では、ゴムピンの構造がきわめて簡単であるから、釣用靴の構造も簡単となる。ひいては、釣用靴の製造コストが大幅に上昇することはない。しかも、ゴムピンが靴底本体の踵部分及び土踏まずから爪先に至る部分に均等に並設されることにより、より高い滑止効果が発揮される。
【００１１】
上記ゴムピンの表面及び当該表面に連続する面は、上記靴底本体に対して相対的に変位可能となっているのが好ましい。釣人が歩行した場合には、靴底本体が変形する。したがって、仮にゴムピンの上記各面が靴底本体に対して相対的に変位することができなければ、釣人の歩行時にゴムピンの変形が規制されてしまい、その結果、釣場の岩等に対する十分なグリップ力が得られなくなる。しかし、この構造では、十分にゴムピンの変形が許容されることになるので、釣人が釣場を歩き回った場合であっても、高い滑止効果が発揮される。
【００１２】
上記靴底材は、上記靴本体の外底面と対向する上記靴底本体の上面を覆う取付部材がさらに備えられており、当該取付部材は、上記靴本体の外底面に着脱自在に設けられているのが好ましい。この場合、靴底材は靴本体に着脱自在となっているから、仮に当該靴底材が摩耗した場合には、これのみが交換され得るという利点がある。また、上記ゴムピン収容室は、上記靴底本体に設けられた貫通孔から構成され得る。そして、上記ゴムピンの上記取付部材と対向する面のみが、当該取付部材に固着されているのが好ましい。この場合、ゴムピンは、上記貫通孔に挿入され、例えば接着剤等によって上記取付部材に固着される。このため、ゴムピンを靴底本体に組み付ける作業がきわめて簡単になるという利点がある。特に、上記ゴムピンの上記取付部材と対向する面にフランジが設けられているのが好ましい。このフランジが設けられることにより、上記ゴムピンを靴底本体に組み付ける作業が一層簡単になる。具体的には、上記ゴムピンは、靴底本体の靴本体側から上記貫通孔に挿通され、上記フランジが靴底本体に当接されることにより、当該靴底本体に位置決め状態で保持される。そして、この状態で当該フランジを挟み込むように当該靴底本体の上面に上記取付部材が設けられる。
【００１３】
上記ゴムピンの表面は、上記靴底から１ｍｍ〜３ｍｍの範囲で突出しているのが好ましい。この構成では、靴底本体が釣場の石や岩に圧接されると、ゴムピンが変形して当該石等を把持するように確実に係合する。したがって、より高い滑止効果が発揮される。しかも、ゴムピンが上記のように突出していることにより、靴底本体の摩耗速度とゴムピンの摩耗速度とがほぼ一致する。したがって、高い滑止効果が持続するという利点がある。
【００１４】
上記ゴムピンの表面に所定深さの細溝が設けられているのが好ましい。これにより、上記石や岩が濡れている場合であっても、当該石等とゴムピンとの間に存在する水は、上記細溝から排水される。これにより、より一層高い滑止効果が発揮される。この細溝は、上記ゴムピンの表面に十字形に形成されているのが好ましい。これにより、より高い排水効果が発揮されるという利点がある。
【００１５】
(2) 上記目的が達成されるため、本発明に係る靴底材は、靴本体の外底面に設けられる靴底材であって、フェルトからなる靴底本体と、表面が靴底本体の下面に露出するように当該靴底本体に設けられたゴムピンとを備える。このゴムピンは、硬度２０〜４０のブチルゴムからなる。
【００１６】
この構成によれば、靴底本体が釣場の石や岩に接触すると、ゴムピンが靴底に露出しているから、フェルトからなる靴底本体及びゴムピンの表面が石や岩に接触する。しかも、このゴムピンが上記硬度のブチルゴムからなるので、このゴムピンは容易に変形して釣場の岩等に対して確実にグリップする。
【００１７】
上記靴底本体は、当該靴底本体の下面に開口するゴムピン収容室を有し、上記ゴムピンは、上記ゴムピン収容室に圧入されているのが好ましい。この構成では、ゴムピンのみが別部材として構成され、簡単に靴底本体に組み付けられる。その結果、靴底材の構造が簡単となり、製造コストの上昇が抑えられる。
【００１８】
上記ゴムピンは、外径寸法が直径１０ｍｍ〜２０ｍｍの円柱状に形成されており、上記靴底本体の踵部分及び土踏まずから爪先に至る部分に均等に並設されているのが好ましい。この構成では、ゴムピンの構造がきわめて簡単であるから、靴底材の構造も簡単となる。ひいては、靴底材の製造コストが大幅に上昇することはない。しかも、ゴムピンが靴底本体の踵部分及び土踏まずから爪先に至る部分に均等に並設されることにより、より高い滑止効果が発揮される。
【００１９】
上記ゴムピンの表面及び当該表面に連続する面は、上記靴底本体に対して相対的に変位可能となっているのが好ましい。当該靴底材は、実際の使用時には、釣人が歩行することに起因して、強制的に且つ周期的に変形が繰り返される。したがって、仮にゴムピンの上記各面が靴底本体に対して相対的に変位することができなければ、当該靴底材の変形時においてゴムピンの変形が規制されてしまい、その結果、釣場の岩等に対する十分なグリップ力が得られなくなる。しかし、この構造では、十分にゴムピンの変形が許容されることになるので、高い滑止効果が発揮される。
【００２０】
上記靴本体の外底面と対向する上記靴底本体の上面を覆い且つ上記靴本体の外底面に着脱自在に係合する取付部材がさらに備えられているのが好ましい。この場合、当該靴底材は靴本体に着脱可能であるから、仮に当該靴底材が摩耗した場合には、これのみが交換され得るという利点がある。また、上記ゴムピン収容室は、上記靴底本体に設けられた貫通孔から構成され得る。そして、上記ゴムピンの上記取付部材と対向する面のみが、当該取付部材に固着されているのが好ましい。この場合、ゴムピンは、上記貫通孔に挿入され、例えば接着剤等によって上記取付部材に固着される。このため、ゴムピンを靴底本体に組み付ける作業がきわめて簡単になるという利点がある。特に、上記ゴムピンの上記取付部材と対向する面にフランジが設けられているのが好ましい。このフランジが設けられることにより、上記ゴムピンを靴底本体に組み付ける作業が一層簡単になる。具体的には、上記ゴムピンは、上記貫通孔に挿通され、上記フランジが靴底本体に当接されることにより、当該靴底本体に位置決め状態で保持される。そして、この状態で当該フランジを挟み込むように当該靴底本体の上面に上記取付部材が設けられる。
【００２１】
上記ゴムピンの表面は、上記靴底から１ｍｍ〜３ｍｍの範囲で突出しているのが好ましい。この構成では、靴底本体が釣場の石や岩に圧接されると、ゴムピンが変形して当該石等を把持するように確実に係合する。したがって、より高い滑止効果が発揮される。しかも、ゴムピンが上記のように突出していることにより、靴底本体の摩耗速度とゴムピンの摩耗速度とがほぼ一致する。したがって、高い滑止効果が持続するという利点がある。
【００２２】
上記ゴムピンの表面に所定深さの細溝が設けられているのが好ましい。これにより、上記石や岩が濡れている場合であっても、当該石等とゴムピンとの間に存在する水は、上記細溝から排水される。これにより、より一層高い滑止効果が発揮される。この細溝は、上記ゴムピンの表面に十字形に形成されているのが好ましい。これにより、より高い排水効果が発揮されるという利点がある。
【００２３】
(3) 上記目的が達成されるため、本発明に係る釣用靴は、釣人の足が挿入され得る靴本体と、靴本体の外底面に設けられた靴底材とを有する。この靴底材は、上記外底面に取り付けられたフェルトからなる靴底本体と、この靴底本体に設けられたゴムピンとを備える。このゴムピンは、表面が靴底に露出される底板部と、当該底板部の外周縁部に立設された略筒状の側部とを有し、上記ゴムピンの表面及び当該表面に連続する面が上記靴底本体に対して相対的に変位可能となっている。
【００２４】
釣人は、足を靴本体に挿入し、釣用靴を着用する。釣人が釣用靴を着用して歩行すると、靴底本体が釣場の石や岩に圧接する。釣用靴が粗面の岩場などで使用されると、フェルトからなる靴底本体が摩耗により目減りし、その結果、ゴムピンが靴底から著しく突出されることもある。上述の構成によれば、歩行時にゴムピンに加えられた荷重によってゴムピンの側部が撓み、ゴムピン自体が靴底本体内に没入される。このとき、ゴムピンは、材質としてのゴムが有する弾性のみならず、撓んだ側部の復元力により地面を押し付ける。これにより、釣場の岩等に対してゴムピンが確実にグリップする。しかも、ゴムピンが靴底本体内に没入されるため、常に靴底全面が接地面と接触する。そのため、釣人は、バランスを崩すことなく、安定した立ち姿勢を維持することができる。
【００２５】
また、釣人が歩行した場合には、靴底本体が変形する。したがって、仮にゴムピンの上記各面が靴底本体に対して相対的に変位することができなければ、釣人の歩行時にゴムピンの変形が規制されてしまい、その結果、釣場の岩等に対する十分なグリップ力が得られなくなる。しかし、この構造では、十分にゴムピンの変形が許容されることになるので、釣人が釣場を歩き回った場合であっても、高い滑止効果が発揮される。
【００２６】
上記ゴムピンは、硬度２０〜４０のブチルゴムからなるものが好ましい。このように、ゴムピンが上記硬度のブチルゴムからなるので、このゴムピンは容易に変形して釣場の岩等に対して確実にグリップする。
【００２７】
上記側部は、軸方向の弾性変形を許容する蛇腹状に形成されていることが好ましい。この構成によれば、ゴムピンの表面に荷重が加えられた際に、靴底本体へのゴムピンの没入が円滑に行われる。また、側部が軸方向に均一に撓むので、局部的に応力が過大とならない。そのため、側部のひび割れやゴム切れなどが防止される。
【００２８】
上記靴底本体は、上記靴底に開口するゴムピン収容室を有し、上記ゴムピンは、上記ゴムピン収容室に圧入されているのが好ましい。この構成では、ゴムピンのみが別部材として構成され、簡単に靴底本体に組み付けられる。その結果、釣用靴の構造が簡単となり、製造コストの大幅な上昇が回避される。
【００２９】
上記ゴムピンは、外径寸法が直径１０ｍｍ〜２０ｍｍの円柱状に形成されており、靴底本体の踵部分及び土踏まずから爪先に至る部分に均等に並設されているのが好ましい。この構成では、ゴムピンの構造がきわめて簡単であるから、釣用靴の構造も簡単となる。ひいては、釣用靴の製造コストが大幅に上昇することはない。しかも、ゴムピンが靴底本体の踵部分及び土踏まずから爪先に至る部分に均等に並設されることにより、より高い滑止効果が発揮される。
【００３０】
上記靴底材は、上記靴本体の外底面と対向する上記靴底本体の上面を覆う取付部材がさらに備えられており、当該取付部材は、上記靴本体の外底面に着脱自在に設けられているのが好ましい。この場合、靴底材は靴本体に着脱自在となっているから、仮に当該靴底材が摩耗した場合には、これのみが交換され得るという利点がある。また、上記ゴムピン収容室は、上記靴底本体に設けられた貫通孔から構成され得る。そして、上記ゴムピンの上記取付部材と対向する面のみが、当該取付部材に固着されているのが好ましい。この場合、ゴムピンは、上記貫通孔に挿入され、例えば接着剤等によって上記取付部材に固着される。このため、ゴムピンを靴底本体に組み付ける作業がきわめて簡単になるという利点がある。特に、上記ゴムピンの上記取付部材と対向する面にフランジが設けられているのが好ましい。このフランジが設けられることにより、上記ゴムピンを靴底本体に組み付ける作業が一層簡単になる。具体的には、上記ゴムピンは、靴底本体の靴本体側から上記貫通孔に挿通され、上記フランジが靴底本体に当接されることにより、当該靴底本体に位置決め状態で保持される。そして、この状態で当該フランジを挟み込むように当該靴底本体の上面に上記取付部材が設けられる。
【００３１】
上記ゴムピンの表面は、上記靴底から１ｍｍ〜３ｍｍの範囲で突出しているのが好ましい。この構成では、靴底本体が釣場の石や岩に圧接されると、ゴムピンが変形して当該石等を把持するように確実に係合する。したがって、より高い滑止効果が発揮される。しかも、ゴムピンが上記のように突出していることにより、靴底本体の摩耗速度とゴムピンの摩耗速度とがほぼ一致する。したがって、高い滑止効果が持続するという利点がある。
【００３２】
上記ゴムピンの表面に所定深さの細溝が設けられているのが好ましい。これにより、上記石や岩が濡れている場合であっても、当該石等とゴムピンとの間に存在する水は、上記細溝から排水される。これにより、より一層高い滑止効果が発揮される。この細溝は、上記ゴムピンの表面に十字形に形成されているのが好ましい。これにより、より高い排水効果が発揮されるという利点がある。
【００３３】
(4) 上記目的が達成されるため、本発明に係る靴底材は、靴本体の外底面に設けられる靴底材であって、フェルトからなる靴底本体と、当該靴底本体に設けられたゴムピンとを備える。このゴムピンは、表面が靴底本体の下面に露出される底板部と、該底板部の外周縁部に立設された略筒状の側部とを有し、上記ゴムピンの表面及び当該表面に連続する面が上記靴底本体に対して相対的に変位可能となっている。
【００３４】
この構成によれば、歩行時にゴムピンに加えられた荷重によってゴムピンの側部が撓み、ゴムピン自体が靴底本体内に没入される。このとき、ゴムピンは、材質としてのゴムが有する弾性のみならず、撓んだ側部の復元力により地面を押し付ける。これにより、釣場の岩等に対してゴムピンが確実にグリップする。しかも、ゴムピンが靴底本体内に没入されるため、常に靴底全面が接地面と接触する。そのため、釣人は、バランスを崩すことなく、安定した立ち姿勢を維持することができる。
【００３５】
また、当該靴底材は、実際の使用時には、釣人が歩行することに起因して、強制的に且つ周期的に変形が繰り返される。したがって、仮にゴムピンの上記各面が靴底本体に対して相対的に変位することができなければ、当該靴底材の変形時においてゴムピンの変形が規制されてしまい、その結果、釣場の岩等に対する十分なグリップ力が得られなくなる。しかし、この構造では、十分にゴムピンの変形が許容されることになるので、高い滑止効果が発揮される。
【００３６】
上記ゴムピンは、硬度２０〜４０のブチルゴムからなるものが好ましい。このように、ゴムピンが上記硬度のブチルゴムからなるので、このゴムピンは容易に変形して釣場の岩等に対して確実にグリップする。
【００３７】
上記側部は、軸方向の弾性変形を許容する蛇腹状に形成されていることが好ましい。この構成によれば、ゴムピンの表面に荷重が加えられた際に、靴底本体へのゴムピンの没入が円滑に行われる。また、側部が軸方向に均一に撓むので、局部的に応力が過大とならない。そのため、側部のひび割れやゴム切れなどが防止される。
【００３８】
上記靴底本体は、当該靴底本体の下面に開口するゴムピン収容室を有し、上記ゴムピンは、上記ゴムピン収容室に圧入されているのが好ましい。この構成では、ゴムピンのみが別部材として構成され、簡単に靴底本体に組み付けられる。その結果、靴底材の構造が簡単となり、製造コストの上昇が抑えられる。
【００３９】
上記ゴムピンは、外径寸法が直径１０ｍｍ〜２０ｍｍの円柱状に形成されており、上記靴底本体の踵部分及び土踏まずから爪先に至る部分に均等に並設されているのが好ましい。この構成では、ゴムピンの構造がきわめて簡単であるから、靴底材の構造も簡単となる。ひいては、靴底材の製造コストが大幅に上昇することはない。しかも、ゴムピンが靴底本体の踵部分及び土踏まずから爪先に至る部分に均等に並設されることにより、より高い滑止効果が発揮される。
【００４０】
上記靴本体の外底面と対向する上記靴底本体の上面を覆い且つ上記靴本体の外底面に着脱自在に係合する取付部材がさらに備えられているのが好ましい。この場合、当該靴底材は靴本体に着脱可能であるから、仮に当該靴底材が摩耗した場合には、これのみが交換され得るという利点がある。また、上記ゴムピン収容室は、上記靴底本体に設けられた貫通孔から構成され得る。そして、上記ゴムピンの上記取付部材と対向する面のみが、当該取付部材に固着されているのが好ましい。この場合、ゴムピンは、上記貫通孔に挿入され、例えば接着剤等によって上記取付部材に固着される。このため、ゴムピンを靴底本体に組み付ける作業がきわめて簡単になるという利点がある。特に、上記ゴムピンの上記取付部材と対向する面にフランジが設けられているのが好ましい。このフランジが設けられることにより、上記ゴムピンを靴底本体に組み付ける作業が一層簡単になる。具体的には、上記ゴムピンは、上記貫通孔に挿通され、上記フランジが靴底本体に当接されることにより、当該靴底本体に位置決め状態で保持される。そして、この状態で当該フランジを挟み込むように当該靴底本体の上面に上記取付部材が設けられる。
【００４１】
上記ゴムピンの表面は、上記靴底から１ｍｍ〜３ｍｍの範囲で突出しているのが好ましい。この構成では、靴底本体が釣場の石や岩に圧接されると、ゴムピンが変形して当該石等を把持するように確実に係合する。したがって、より高い滑止効果が発揮される。しかも、ゴムピンが上記のように突出していることにより、靴底本体の摩耗速度とゴムピンの摩耗速度とがほぼ一致する。したがって、高い滑止効果が持続するという利点がある。
【００４２】
上記ゴムピンの表面に所定深さの細溝が設けられているのが好ましい。これにより、上記石や岩が濡れている場合であっても、当該石等とゴムピンとの間に存在する水は、上記細溝から排水される。これにより、より一層高い滑止効果が発揮される。この細溝は、上記ゴムピンの表面に十字形に形成されているのが好ましい。これにより、より高い排水効果が発揮されるという利点がある。
【発明の効果】
【００４３】
本発明によれば、フェルトからなる靴底本体及びゴムピンが釣場の岩等に確実にグリップするので、これらが協働することにより、釣場の状況にかかわらず高い滑止効果が発揮される。
【発明を実施するための最良の形態】
【００４４】
以下、適宜図面が参照されつつ、好ましい実施形態に基づいて本発明が詳細に説明される。
【００４５】
〈第１の実施形態〉
図１は、本発明の第１の実施形態に係る釣用靴の斜視図であり、図２は、この釣用靴の要部拡大断面図である。
【００４６】
この釣用靴１０は、例えば磯釣り等において釣人が釣り場を安全に歩行等するために着用するものである。本実施形態に係る釣用靴１０の特徴とするところは、釣用靴１０のソール部分の構造である。すなわち、釣用靴１０が後述の靴底材１３を備えることによって、釣り場の歩行における高い滑止効果が発揮されるようになっている。なお、釣人は、左右対称に形成された一対の釣用靴１０を着用するが、説明の簡略化のために、以下では、右脚用の釣用靴１０の構造のついて説明される。
【００４７】
釣用靴１０は、靴本体１１と、靴本体１１の外底面３１に設けられた靴底材１３とを備えている。靴本体１１は、下部にミッドソール部１２を備えており、このミッドソール部１２に靴底材１３が取り付けられている。
【００４８】
靴本体１１は、内布１４と、本体ゴム１５と、補強ゴム１６〜２０と、中敷２１とを有する。
【００４９】
内布１４は、例えばナイロンその他ポリエステル等からなり、靴本体１１の内壁面を構成している。内布１４がナイロンその他ポリエステルにより構成されることによって、釣人にとって、釣用靴１０を履いたときの履き心地が良い。中敷２１は、内布１４の内底部に配置されている。内布１４の内底部は、釣人が釣用靴１０を履いたときに足の裏部分が載置される載置部２３を構成している。中敷２１は、例えば、発泡エチレン酢酸ビニル共重合体（発泡ＥＶＡ）、発泡ポリウレタン（発泡ＰＵ）、発泡ポリエチレン（発泡ＰＥ）、スポンジ等により構成されている。このため、釣人が釣用靴１０を履いたときに、当該釣用靴１０が足にフィットし、釣人にとって一層履き心地の良いものとなる。ただし、中敷２１は、省略されていてもよい。
【００５０】
本体ゴム１５は、内布１４の底部を除く外周面を囲繞するように配置されている。本体ゴム１５は、靴本体１１の骨格を形成している。本体ゴム１５としては、例えば、天然ゴム（ＮＲ）、ポリ塩化ビニル（ＰＶＣ）その他合成ゴム等が採用される。補強ゴム１６は、靴本体１１の先端部（爪先側）を被うように配置されており、当該部分を補強している。補強ゴム１６としては、例えば、天然ゴム（ＮＲ）、ポリ塩化ビニル（ＰＶＣ）その他合成ゴム等が採用される。補強ゴム１７は、靴本体１１の後端部（踵側）を被うように配置されており、当該部分を補強している。この補強ゴム１７は、特に肉厚部２２を備えている。この肉厚部２２は、釣人が釣用靴１０を履いたときに釣人の踵の後方に該当する部分に設けられており、釣人の踵部分の安全が確保されている。補強ゴム１７としては、例えば、天然ゴム（ＮＲ）、ポリ塩化ビニル（ＰＶＣ）その他合成ゴム等が採用される。
【００５１】
補強ゴム１８は、靴本体１１の底部の近傍に配置され、靴本体１１の周方向に沿って配置されている。つまり、この補強ゴム１８は、靴本体１１の下縁部を囲繞するように配置されており、靴本体１１の先端部及び後端部をさらに補強している。この補強ゴム１８としては、例えば、天然ゴム（ＮＲ）、ポリ塩化ビニル（ＰＶＣ）その他合成ゴム等が採用される。補強ゴム１９は、上記補強ゴム１８の外側に配置されている。補強ゴム１９は、靴本体１１の底部の近傍に設けられており、靴本体１１の周方向に沿って配置されている。これにより、補強ゴム１９は、靴本体１１の先端部及び下端部をより一層補強しており、釣用靴１０の耐久性及び安全性が向上されている。この補強ゴム１９としては、例えば、天然ゴム（ＮＲ）、ポリ塩化ビニル（ＰＶＣ）その他合成ゴム等が採用される。補強ゴム２０は、靴本体１１の上部開口部３６（釣人の脚が挿入される部分）の周縁部に配置されている。この補強ゴム２０は、当該周縁部を補強している。この補強ゴム２０としては、例えば、天然ゴム（ＮＲ）、ポリ塩化ビニル（ＰＶＣ）その他合成ゴム等が採用される。
【００５２】
ミッドソール部１２は、上記内布１４の外側の底面２４に配置されている。ただし、靴本体１１の底面周縁部に補強シート２５が配設されている。このため、ミッドソール部１２は、この補強シート２５を挟んで上記底面２４に固着されている。ミッドソール部１２は、基部２６と、シート部材２７と、クッション部材２８とを有する。基部２６は、例えば合成ゴム等により構成されており、その外形形状は、上記底面２４の形状に対応している。シート部材２７は、基部２６の上面に配置され、このシート部材２７の上面にクッション部材２８が配置されている。言い換えると、基部２６、シート部材２７及びクッション部材２８は、順に積層されており、これらが一体となって上記内布１４の外側の底面２４に取り付けられている。この基部２６の底面が靴本体１１の外底面３１を構成している。この外底面３１は、後に詳述される靴底材１３が装着されるための凹部３２を備えている。
【００５３】
シート部材２７は、板材からなる。シート部材２７を構成する材料は、例えば、樹脂が含浸された紙材のほか、ラバー、フェルト、プラスチック、金属等が採用され得る。クッション部材２８は、発泡エチレン酢酸ビニル共重合体、発泡合成ゴム、発泡天然ゴム、発泡ウレタン、フェルト材等の発泡成形部材により構成されている。なお、本実施形態では、シート部材２７の上面にクッション部材２８が積層されているが、基部２６の上面にクッション部材２８が配置され、その上面にシート部材２７が配置されていてもよい。ただし、これらシート部材２７及びクッション部材２８は、省略されていてもよい。
【００５４】
図３は、靴底材１３の一部分解斜視図である。
【００５５】
図２及び図３が示すように、靴底材１３は、靴本体１１の外底面３１に着脱可能に取り付けられている。靴底材１３は、取付板部３３（取付部材）と、取付板部３３に設けられたフェルト部材３４（靴底本体）と、取付板部３３に立設されたゴムピン３５とを有する。
【００５６】
フェルト部材３４は、上記靴本体１１の外底面３１に対応する形状に形成されている。具体的には、フェルト部材３４の外形形状は、上記外底面３１に設けられた凹部３２にぴったりと嵌め合わされるように形成されている。フェルト部材３４の肉厚寸法は、１０．０ｍｍ〜２０．０ｍｍに設定されている。フェルト部材３４は、繊維が立体的に且つ方向の規則性なく集合されることによって構成されている。繊維の種類は、例えばナイロンその他ポリエステル等の合成繊維のほか、やしがら繊維や麻等の天然繊維が採用され得る。また、取付板部３３は、薄肉平板状の部材であって、フェルト部材３４の上面３９（図３では、フェルト部材３４の下側の面）を覆っている。取付板部３３は、例えば、ナイロンその他ポリエステル等の合成繊維を含む不織布からなる。
【００５７】
本実施形態では、この取付板部３３と上記凹部３２の壁面との間に面ファスナー機構が構成されている。すなわち、取付板部３３の表面（図３では、下側の面）では、繊維がループ状に形成されており、上記凹部３２の内面では、繊維がフック状に形成されている。したがって、靴底材１３が上記凹部３２に嵌め込まれたときに、取付板部３３が上記凹部３２の壁面に一定の保持力で着脱自在に係合する。これにより、靴底材１３は、一定の保持力でミッドソール部１２に着脱自在に保持されることになる。もっとも、取付板部３３がループテープから構成され、上記凹部３２に、このループテープと係合するフックテープが設けられていてもよい。
【００５８】
ゴムピン３５は、外径寸法が１０．０ｍｍ〜２０．０ｍｍに設定された円柱状に形成されており、フェルト部材３４に埋め込まれている。本実施形態では、１７本のゴムピン３５がフェルト部材３４に設けられている。ただし、ゴムピン３５の数は１７本に限定されるものではなく、５本〜３０本の範囲で適宜設定され得る。また、ゴムピン３５は、いわゆる土踏まずに対応する領域Ｗ以外の領域に配置されている。具体的には、５本のゴムピンが踵部分に対応する領域に均等に並設されると共に、土踏まずから爪先に至る部分に対応する領域に１２本のゴムピンが均等に並設されている。ゴムピン３５の硬度は、１０〜６０の範囲に設定され得る。この場合の硬度とは、ＪＩＳ  Ｋ  ６２６３に準拠したデュロメータＡ型硬度である。ただし、ゴムピンの硬度は、１５〜４５に設定されるのが好ましく、さらに、２０〜４０に設定されるのがより好ましい。そして、ゴムピン３５を構成するゴムは、イソブチレンに所定量のイソプレンを共重合した合成ゴム（いわゆるブチルゴム）が採用されている。本実施形態では、ゴムピン３５は、ポリマーの主成分をブチルとする配合ゴムから構成されている。
【００５９】
フェルト部材３４は、１７個のゴムピン収容室３７を備えている。このゴムピン収容室３７は、フェルト部材３４の下面４０（靴底）に開口を有する凹部からなる。ゴムピン収容室３７の数は、ゴムピン３５の個数に対応している。ゴムピン収容室３７は、ゴムピン３５の外形形状に対応しており、本実施形態では、ゴムピン収容室３７の内壁面形状が円柱状に形成されている。ゴムピン収容室３７の内径寸法は、ゴムピン３５の外径寸法に対応されており、これにより、ゴムピン３５は、ゴムピン収容室３７に圧入されている。各ゴムピン３５がゴムピン収容室３７に嵌め込まれた状態では、各ゴムピン３５の表面３８（靴底に露出する面）は、フェルト部材３４の下面４０に露出し、当該下面４０と滑らかに連続している。
【００６０】
本実施形態では、各ゴムピン３５は、その上面４１（取付部材と対向する面）のみが取付板部３３に固定されている。すなわち、上記ゴムピン収容室３７は、フェルト部材３４を厚み方向に貫通する貫通孔として構成されており、各ゴムピン３５は、このゴムピン収容室３７に嵌め込まれているが、ゴムピン３５の表面３８（靴底に露出する面）及び周面４２（靴底に露出する面と隣り合う面）は、フェルト部材３４に固定されていない。これにより、各ゴムピン３５の表面３８及び周面４２は、フェルト部材３４に対して相対的に変位することができる。
【００６１】
この釣用靴１０は、概ね次のようにして製造される。釣用靴１０の製造には、足型が用いられる。まず、この足型に上記内布１４が被せられる。この内布１４を被うように上記本体ゴム１５が被せられる。次に、内布１４の底部にクッション部材２８及びシート部材２７が貼り付けられ、さらに、上記補強シート２５及び各補強ゴム１６〜２０が順に貼り付けられる。そして、靴本体１１の底部を被うようにミッドソール部１２の基部２６が貼り付けられる。上記本体ゴム１５、各補強ゴム１６等及び基部２６は、既知の接着剤や加硫処理等によって固着される。中敷２１は、靴本体１１の上部開口部３６から挿入され、靴本体１１の内底部に配置される。また、上記靴底材１３は、予め別部品として組み立てられる。この靴底材１３がミッドソール部１２の凹部３２に嵌め込まれるだけで、上記面ファスナー機構を介してミッドソール部１２に固定される。なお、本実施形態では、靴底材１３は着脱自在に靴本体１１に取り付けられているが、靴底材１３が靴本体１１に固定されていてもよい。
【００６２】
釣人が本実施形態に係る釣用靴１０を着用して歩行すると、釣人の体重が靴底材１３に作用し、フェルト部材３４が釣場の石や岩に圧接される。このとき、ゴムピン３５の表面３８が靴底に露出しているから、フェルト部材３４及びゴムピン３５の表面が石や岩に圧接される。しかも、このゴムピン３５が上記硬度のブチルゴムからなるので、このゴムピン３５は容易に変形して釣場の岩等に対して確実にグリップする。すなわち、フェルト部材３４及びゴムピン３５が協働して滑止効果を発揮するので、釣場の状況にかかわらず釣用靴１０は、高い滑止効果を発揮する。
【００６３】
特に本実施形態では、靴底材１３が上記取付板部３３を備えており、この取付部材３３が靴本体１１の外底面３１に着脱自在に設けられている。これにより、靴底材１３が靴本体１１に対して着脱自在となるから、仮に靴底材１３が摩耗した場合には、これのみが新品に交換され得るという利点がある。
【００６４】
さらに、靴底材１３は、ゴムピン３５がフェルト部材３４のゴムピン収容室３７に圧入されることによって構成されるから、ゴムピン３５のみが別部材として構成されることにより、ゴムピン３５が簡単にフェルト部材３４に組み付けられる。その結果、釣用靴１０の構造が簡単となり、製造コストの大幅な上昇が回避される。しかも、ゴムピン３５は、前述されたような円柱状に形成されているから、ゴムピン３５の構造がきわめて簡単であり、釣用靴１０の構造もより簡単なものとなる。しかも、ゴムピン３５がフェルト部材３４の踵部分に対応する領域及び土踏まずから爪先に至る部分に対応する領域に均等に並設されているので、より高い滑止効果が発揮されるという利点がある。
【００６５】
特に本実施形態では、上記ゴムピン３５の表面３８及び周面４２は、フェルト部材３４に対して相対的に変位することができる。ところで、釣人がこの釣用靴１０を着用して釣場を歩行した場合には、フェルト部材３４が変形する。したがって、仮にゴムピン３５の上記表面３８及び周面４２がフェルト部材３４に対して相対的に変位することができなければ、釣人の歩行時にゴムピン３５の変形が規制されてしまい、その結果、釣場の岩等に対する十分なグリップ力が得られなくなる。しかし、この釣用靴１０では、十分にゴムピン３５の変形が許容されることになるので、釣人が釣場を歩き回った場合であっても、高い滑止効果が発揮される。しかも、ゴムピン３５の変形を許容する構造は、具体的には、ゴムピン３５がゴムピン収容室３７に嵌め込まれ、ゴムピン３５の上面４１のみが取付板部３３に固定されることにより実現されているから、ゴムピン３５をフェルト部材３４に組み付ける作業がきわめて簡単であるという利点がある。
【００６６】
〈第２の実施形態〉
次に、本発明の第２の実施形態が説明される。図４は、本発明の第２の実施形態に係るゴムピン５０の斜視図であり、図５は、このゴムピン５０の取付要領を示す断面図である。
【００６７】
当該第２の実施形態に係る釣用靴が上記実施形態に係る釣用靴１０と異なるところは、図４が示すように、ゴムピン５０が円柱部５１及びフランジ５２を備えている点、円柱部５１に細溝５３、５４が設けられている点及びこのゴムピン５０は、図５が示すように、フランジ５２が取付板部３３とフェルト部材３４との間に挟み込まれるようにして取り付けられている点である。なお、その他の構成については、上記釣用靴１０と同様である。
【００６８】
ゴムピン５０は、上記ゴムピン３５と同様の材料で形成されている。ゴムピン５０の円柱部５１は、上記ゴムピン３５と同様の形状である。そして、この円柱部５１の上面にフランジ５２が一体的に形成されている。上記細溝５３及び細溝５４は、円柱部５１の表面３８に設けられており、互いに直交している。換言すれば、円柱部５１の表面３８に十字状の細溝が形成されている。本実施形態では、２本の細溝５３、５４が設けられ、これらが直交しているが、細溝の数や交差角度等は、特に限定されるものではなく、要するに、円柱部５１の表面３８に細溝が形成されていればよい。これら細溝５３、５４の幅寸法ｄは、０．２ｍｍ〜２．０ｍｍ程度に設定され得る。また、各細溝５３、５４は、円柱部５１の軸方向に寸法ｃだけ延びている。この寸法ｃは、細溝５３、５４の深さ寸法であり、５ｍｍ〜１５ｍｍ程度に設定され得る。
【００６９】
このゴムピン５０は、図５が示すようにフェルト部材３４のゴムピン収容室３７に嵌め込まれている。具体的には、円柱部５１がフェルト部材３４の上面３９側（靴本体１１側）から嵌め込まれる。円柱部５１にフランジ５２が設けられているから、円柱部５１がゴムピン収容室３７に挿入されると、フェルト部材３４の上面３９にフランジ５２が当接する。そして、この状態で取付板部３３がフェルト部材３４の上面３９に張り付け固定される。すなわち、フランジ５２がフェルト部材３４と取付板部３３との間に挟み込まれ、ゴムピン５０が確実にフェルト部材３４に固定される。ここで、円柱部５１の長さ寸法は、フェルト部材３４の厚み寸法よりも長くなるように設定されている。したがって、ゴムピン５０がフェルト部材３４に取り付けられた状態では、円柱部５１の先端部がフェルト部材３４の下面４０から突出する。この突出寸法ａは、１．０ｍｍ〜３．０ｍｍに設定される。
【００７０】
本実施形態では、上記ゴムピン５０がフランジ５２を備えているので、前述のようにゴムピン５０がフェルト部材３４に確実に固定されると共に、このゴムピン５０をフェルト部材３４に組み付ける作業が一層簡単になるという利点がある。
【００７１】
また、上記ゴムピン５０の表面３８がフェルト部材３４の下面４０から突出しているのフェルト部材３４が釣場の石や岩に圧接されると、ゴムピン５０が変形して当該石等を把持するように確実に係合する。したがって、より高い滑止効果が発揮される。しかも、ゴムピン５０が前述のように突出していることにより、フェルト部材３４の摩耗速度とゴムピン５０の摩耗速度とがほぼ一致する。したがって、高い滑止効果が持続するという利点がある。
【００７２】
加えて、ゴムピン５０に上記細溝５３、５４が設けられているので、上記石や岩が濡れている場合であっても、当該石等とゴムピンとの間に存在する水がゴムピン５０の周囲へ排出される。これにより、より一層高い滑止効果が発揮される。本実施形態では、この細溝５３、５４は、ゴムピン５０の表面３８に十字形に形成されているので、より高い排水効果が発揮されるという利点がある。
【００７３】
〈第３の実施形態〉
次に、本発明の第３の実施形態が説明される。図６は、本発明の第３の実施形態に係る釣用靴の要部拡大断面図である。
【００７４】
上述の各実施形態では、フェルト部材３４と、該フェルト部材３４の上面３９に覆われた取付板部３３とにより靴底材１３が構成されているが、例えば、図６が示すように、靴底材１３は、フェルト部材３４の上面に底板部材４５が配置され、更に該底板部材４５の上面に取付板部３３が配置された積層構造に形成されていてもよい。この場合は、各ゴムピン３５の上面４１のみが底板部材４５に固定されることで、各ゴムピン３５がフェルト部材３４に取り付けられる。
【００７５】
ここに、上記底板部材４５は、板材からなるものである。該底板部材４５を構成する材料としては、例えば、天然ゴム（ＮＲ）、ポリ塩化ビニル（ＰＶＣ）その他の合成ゴムのほか、脂が含浸された紙材や、発泡エチレン酢酸ビニル共重合体、発泡合成ゴム、発泡天然ゴム、発泡ウレタン等の発泡成形部材など、種々のものが採用可能であるが、少なくとも、フェルト部材３４よりも剛性が高く薄肉状のものであることが好ましい。図６が示す積層構造に形成された靴底材１３であれば、フェルト部材３４に可撓性の高い材質を用いた場合でも、靴底材１３全体の剛性を確保することができる。また、本釣用靴１０が使用されてフェルト部材３４が摩耗して薄くなった場合でも、靴底材１３に必要とされる剛性は底板部材４５によって確保され得る。
【００７６】
〈第４の実施形態〉
続いて、本発明の第４の実施形態が以下に説明される。図７は、本発明の第４の実施形態に係るゴムピン６０の斜視図である。図８は、ゴムピン６０の縦断面図であって、図７のVIII−VIII線断面が示されている。また、図９は、ゴムピン６０を備える靴底材１３の要部拡大断面図であり、図１０は、ゴムピン６０の表面３８に荷重が加えられたときの靴底材１３の要部拡大断面図である。
【００７７】
当該実施形態に係る釣用靴は、前述の各実施形態に係る釣用靴１０の改良に係るものである。詳細には、前述の各実施形態に係る釣用靴１０に用いられるゴムピン３５及び５０の改良に関する。
【００７８】
上述の如く、ゴムピンの円柱部５１の先端部をフェルト部材３４の下面４０から突出させる構成が採用されることにより、フェルト部材３４の摩耗速度とゴムピンの摩耗速度とをほぼ一致させ得ることが期待される。しかしながら、釣用靴１０の底面の摩耗は、釣用靴１０の使用態様や使用される釣場の足場状態によって著しく異なる場合がある。
【００７９】
例えば、コンクリート面などのように表面が平坦な波止場で釣用靴１０が使用された場合は、歩行時に靴底のほぼ全域が接地されるため、底面から突出されたゴムピンの摩耗速度はフェルト部材３４の摩耗速度よりも早くなることがある。一方、磯などのように、粗面の岩場で釣用靴１０が使用された場合は、ゴムピン５０は石や岩に確実にグリップするため釣人の岩場での移動が容易となるものの、フェルト部材３４が岩の粗面によって激しく削り採られる。したがって、粗面の岩場では、フェルト部材３４の摩耗速度のほうがゴムピンの摩耗速度よりも早くなる場合があり得る。釣用靴１０が粗面の岩場に偏重して使用された場合は、フェルト部材３４が摩耗によって目減りし、釣用靴１０の底面から突出されるゴムピンの突出量が著しく大きくなる。このように、ゴムピンの突出量が大きく変形した状態で当該釣用靴１０が着用されると、釣人の安定した立ち姿勢および歩行を妨げるおそれがある。また、実釣時に履き心地に違和感を感じ、快適な釣りができなくなるため、好ましくない。更にまた、ゴムピンの突出量が大きくなると、ゴムピン自体の変形量が大きくなるため、ゴムピンがちぎれやすくなるという問題も生じ得る。
【００８０】
そこで、当該実施形態では、前述の各実施形態に係る釣用靴１０に適用されるゴムピン３５及びゴムピン５０とは異なる形状のゴムピン６０が採用されている。具体的には、ゴムピン３５及びゴムピン５０がゴム塊で形成されているのに対し、ゴムピン６０は、図７及び図８が示すように、円柱部５１の内部が中空状に形成されている点で、前述のゴムピン３５及びゴムピン５０とは大きく異なる。なお、ゴムピン７０の他の構成、及び釣用靴の他の構成については、前述の釣用靴１０と共通する。したがって、当該実施形態では、共通する構成要素についての詳細な説明は省略される。
【００８１】
以下に、ゴムピン５０の変形例として、フランジ５２を有するゴムピン６０が詳細に説明される。
【００８２】
ゴムピン６０は、上記ゴムピン３５及びゴムピン５０と同様の材料、即ち、硬度１５〜４５、より好ましくは、硬度２０〜４０のブチルゴムで形成されている。当該ゴムピン６０が上記硬度のブチルゴムからなるので、このゴムピン６０は容易に変形して釣場の岩等に対して確実にグリップする。これにより、釣場の状況にかかわらず釣用靴１０は、高い滑止効果を発揮する。なお、このブチルゴムは、ゴムピン６０を構成する材料の単なる一例であって、例えば、天然ゴム（ＮＲ）やポリ塩化ビニル（ＰＶＣ）その他の合成ゴム等がゴムピン６０の材料として採用され得る。
【００８３】
ゴムピン６０の円柱部５１は、図７及び図８が示すように、底板部６３と該底板部６３に一体に形成された側部６２とにより構成されている。底板部６３は、靴底に露出される表面３８を有する。底板部６３には、ゴムピン５０と同様に、互いに直交する２本の細溝５３、５４が形成されている。
【００８４】
底板部６３は、歩行時に表面３８が石や岩に圧接されて徐々に摩耗するおそれがあるため、ある程度の厚みを有するゴム塊として構成されている。底板部６３の厚みは、ゴムピン６０の材質や釣用靴１０の使用目的などによって適宜設定され得る要素であるが、概ね、５ｍｍ〜１０ｍｍの範囲に設定される。前述されたように、ゴムピン６０の円柱部５１の外形寸法は、１０．０ｍｍ〜２０．０ｍｍであるため、上記底板部６３は、背丈の低い円柱形状を呈している。
【００８５】
上記側部６２は、底板部６３の外周縁部から垂直方向に立設されており、略円筒形状に形成されている。したがって、底板部６３は、側部６２の内孔６１の底面を構成している。側部６２の肉厚は、ゴムピン６０のゴム硬度や釣用靴１０に配設されるゴムピン６０の数などによって決定される。なお、側部６２は略円筒形状に限られない。例えば、断面が四角形の筒状に形成されたものでもよい。
【００８６】
側部６２の上面、即ち、ゴムピン６０の円柱部５１の上面にフランジ５２が一体に形成
されている。このフランジ５２は、平面視で円環状を呈しており、円柱部５１の上面外周から外側へ庇状に延出されている。円柱部５１の上面は閉塞されておらず、したがって、円筒形状に形成された側部６２の内孔６１が開放されている。なお、本実施形態では、フランジ５２を有するゴムピン６０が説明されるが、フランジ５２は省略されていてもよい。
【００８７】
本実施形態に係る釣用靴１０が磯などのように粗面の岩場で使用されると、釣人の体重が靴底材１３に作用し、フェルト部材３４が釣場の石や岩に圧接される。このとき、フェルト部材３４及びゴムピン６０が協働して高い滑止効果を発揮する。その一方で、フェルト部材３４が釣場の石や岩で徐々に削り取られる。例えば、釣用靴１０が複数回使用された結果、図９が示すように、フェルト部材３４が削り取られて目減りして、予め設定されたゴムピン６０の突出寸法ａ（１．０ｍｍ〜３．０ｍｍ）が寸法ｅ（＞ａ）に拡大される場合も生じ得る。同図が示すように、ゴムピン６０の表面３８は靴底に露出されているから、釣人の体重が作用して、図中の矢印Ｐ方向からゴムピン６０に荷重が加えられる。このとき、図１０が示すように、加えられた荷重によって、ゴムピン６０の側部６２が内側へ撓まされる。
【００８８】
上記側部６２が内側へ撓まされた結果、ゴムピン６０がフェルト部材３４内へ没入される。このとき、ゴムピン６０には、ゴム本来の弾性力に加え、側部６２の撓みを復元しようとして矢印Ｐ方向からの荷重を押し返す方向の付勢力が生じる。したがって、磯などの岩場にゴムピンが確実にグリップする。しかも、ゴムピン６０がフェルト部材３４内に没入されるため、常に靴底全面が接地面と接触する。そのため、釣人はバランスを崩すことなく、安定した歩行および立ち姿勢が維持される。
【００８９】
なお、上記側部６２は、略円筒形状に形成されておれば如何なる形状であっても採用され得る。例えば、上記ゴムピン６０に代えて、図１１が示すように、側部６２が軸方向（図１１の上下方向）への弾性変形を許容する蛇腹状に形成されたゴムピン７０を採用することも可能である。ここに、図１１は、ゴムピン７０の縦断面図であり、図１２は、ゴムピン７０を備える靴底材１３の要部拡大断面図である。また、図１３は、ゴムピン７０の表面３８に荷重が加えられたときの靴底材１３の要部拡大断面図である。
【００９０】
このようなゴムピン７０が靴底材１３に備えられた釣用靴においては、ゴムピン７０の表面３８に荷重が加えられた際に、ゴムピン７０が靴底から突出された状態（図１２参照）から、図１３が示すように、ゴムピン７０がフェルト部材３４内に没入されるまでの動作が容易且つ円滑に行われる。また、側部６２の蛇腹形状によって矢印Ｐ方向からの荷重を押し返す方向の付勢力が高められ、磯などの岩場にゴムピン７０がより確実にグリップすることになる。更にまた、側部６２が蛇腹形状に形成されているため、側部６２がゴムピン７０の軸方向、すなわち、靴底に垂直な方向に均一に撓むため、局部的に応力が過大にならない。そのため、側部６２のひび割れやゴム切れなどが防止される。
【産業上の利用可能性】
【００９１】
本発明は、磯や河原で使用される釣用靴に適用され得る。
【図面の簡単な説明】
【００９２】
【図１】図１は、本発明の第１の実施形態に係る釣用靴の斜視図である。
【図２】図２は、本発明の第１の実施形態に係る釣用靴の要部拡大断面図である。
【図３】図３は、本発明の第１の実施形態に係る釣用靴の靴底材の一部分解斜視図である。
【図４】図４は、本発明の第２の実施形態に係るゴムピンの斜視図である。
【図５】図５は、本発明の第２の実施形態に係るゴムピンの取付要領を示す断面図である。
【図６】図６は、本発明の第３の実施形態に係る釣用靴の要部拡大断面図である。
【図７】図７は、本発明の第４の実施形態に係るゴムピン６０の斜視図である。
【図８】図８は、本発明の第４の実施形態に係るゴムピン６０の縦断面図であって、図７のVIII−VIII線断面が示されている。
【図９】図９は、本発明の第４の実施形態に係るゴムピン６０を備える靴底材１３の要部拡大断面図である。
【図１０】図１０は、本発明の第４の実施形態に係るゴムピン６０の表面３８に荷重が加えられたときの靴底材１３の要部拡大断面図である。
【図１１】図１１は、ゴムピン６０の変形例であるゴムピン７０の縦断面図である。
【図１２】図１２は、ゴムピン６０の変形例であるゴムピン７０を備える靴底材１３の要部拡大断面図である。
【図１３】図１３は、ゴムピン６０の変形例であるゴムピン７０の表面３８に荷重が加えられたときの靴底材１３の要部拡大断面図である。
【符号の説明】
【００９３】
１０・・・釣用靴
１１・・・靴本体
１２・・・ミッドソール部
１３・・・靴底材
３１・・・靴本体の外底面
３２・・・凹部
３３・・・取付板部
３４・・・フェルト部材
３５・・・ゴムピン
３７・・・ゴムピン収容室
３８・・・ゴムピンの表面
３９・・・フェルトの上面
４０・・・フェルトの下面
４１・・・ゴムピンの上面
４２・・・ゴムピンの周面
５０・・・ゴムピン
５１・・・円柱部
５２・・・フランジ
５３・・・細溝
５４・・・細溝
６０・・・ゴムピン
６１・・・内孔
６２・・・側部
６３・・・底板部
７０・・・ゴムピン
【図１】
2006289063.tif 000003
【図２】
2006289063.tif 000004
【図３】
2006289063.tif 000005
【図４】
2006289063.tif 000006
【図５】
2006289063.tif 000007
【図６】
2006289063.tif 000008
【図７】
2006289063.tif 000009
【図８】
2006289063.tif 000010
【図９】
2006289063.tif 000011
【図１０】
2006289063.tif 000012
【図１１】
2006289063.tif 000013
【図１２】
2006289063.tif 000014
【図１３】
2006289063.tif 000015